(57)【要約】【課題】音像をユーザの所望の位置に適正に定位させることのできる「オーディオシステム」を提供する。【解決手段】定位位置受付ウインドウ３００のダッシュボード画像３５０上の位置入力に応じて定位位置の指定を受け付け（ａ）、受け付けた定位位置に音像が定位するように各スピーカ３に出力するオーディオ信号の遅延時間を設定する。そして、ユーザが実際に聴感上で定位した位置が定位位置受付ウインドウ３００で指定した定位位置と一致したことがユーザから示されるまで、ユーザから定位位置確認ウインドウ３１０のダッシュボード画像３５０上で実際に聴感上で定位した位置を受け付け（ｂ、ｃ）、受け付けた定位位置と設定している遅延時間とに整合するように、前記各遅延時間と定位位置との関係を推定し直し、推定した関係に従って、前記各遅延時間を再設定する処理を繰り返す。【選択図】図３
2006196941.tif 000002
【特許請求の範囲】
【請求項１】
オーディオ音を出力する複数のスピーカと、前記各スピーカに当該スピーカから出力するオーディオ音を表すオーディオ信号を出力するオーディオソース機器と、前記オーディオソース機器から前記各スピーカに出力されるオーディオ信号間に遅延時間差を与える遅延部とを備えたオーディオシステムであって、
前記複数スピーカから出力されるオーディオ音の音像の定位位置と、前記各スピーカに出力されるオーディオ信号間に与える遅延時間差との関係を示す関係情報を記憶した記憶部と、
ユーザから、前記複数スピーカから出力されるオーディオ音の音像の所望の定位位置の設定を受け付ける定位位置設定受付部と、
前記定位位置設定受付部が設定受け付けた定位位置に前記オーディオ音の音像が定位するように、前記記憶部に記憶された前記関係情報が示す前記関係に従って求めた遅延時間差を、前記遅延部に、前記各スピーカに出力されるオーディオ信号間に与えさせる遅延時間差制御部と、
ユーザから、当該ユーザが聴感上確認した前記複数スピーカから出力されたオーディオ音の音像の定位位置の入力を受け付ける定位位置入力受付部と、
前記定位位置入力受付部が入力を受け付けた定位位置と、当該定位位置をユーザが聴感上確認したときに、前記遅延部が、前記各スピーカに出力されるオーディオ信号間に与えていた遅延時間差との対応に整合するように、前記記憶部に記憶されている関係情報が表す前記関係を修正する関係情報修正部とを有することを特徴とするオーディオシステム。
【請求項２】
請求項１記載のオーディオシステムであって、
表示装置と位置入力装置とを備え、
前記定位位置設定受付部は、前記表示装置に、前記オーディオ音の聴取空間のレイアウトを表すレイアウト画像を表示し、前記位置入力装置を介した表示したレイアウト画像上の位置の入力を受け付け、入力を受け付けたレイアウト画像上の位置の位置に対応する前記聴取空間の位置を前記音像の所望の定位位置として受け付け、
前記定位位置入力受付部は、前記表示装置に、前記レイアウト画像を表示し、前記位置入力装置を介した表示したレイアウト画像上の位置の入力を受け付け、入力を受け付けたレイアウト画像上の位置に対応する前記聴取空間の位置を、前記ユーザが聴感上確認した前記複数スピーカから出力されたオーディオ音の音像の定位位置として受け付けることを特徴とするオーディオシステム。
【請求項３】
請求項２記載のオーディオシステムであって、
前記位置入力装置は、前記表示装置の表示面上に配置されたタッチパネルであることを特徴とするオーディオシステム。
【請求項４】
請求項２記載のオーディオシステムであって、
当該オーディオシステムは、自動車に搭載されるオーディオシステムであって、
前記レイアウト画像は、自動車のダッシュボード及びダッシュボード周辺を車内から見たレイアウトを表した画像であり、
前記定位位置設定受付部は、入力を受け付けたレイアウト画像上の左右方向の位置に対応する自動車の左右方向についての位置を、前記音像の自動車の左右方向についての所望の定位位置として受け付け、
前記定位位置入力受付部は、入力を受け付けたレイアウト画像上の左右方向の位置に対応する自動車の左右方向についての位置を、前記ユーザが聴感上確認した前記複数スピーカから出力されたオーディオ音の音像の自動車の左右方向についての定位位置として受け付け、
前記遅延時間差制御部は、前記定位位置設定受付部が設定受け付けた自動車の左右方向についての定位位置に、前記オーディオ音の音像が自動車の左右方向について定位するように、前記記憶部に記憶された前記関係情報が示す前記関係に従って求めた遅延時間差を、前記遅延部に、前記各スピーカに出力されるオーディオ信号間に与えさせることを特徴とするオーディオシステム。
【請求項５】
請求項２記載のオーディオシステムであって、
当該オーディオシステムは、自動車に搭載されるオーディオシステムであって、
前記レイアウト画像は、自動車のダッシュボード及びダッシュボード周辺を車内から見たレイアウトを表した画像であり、
前記定位位置設定受付部は、入力を受け付けたレイアウト画像上の左右及び上下方向の位置に対応する自動車の左右及び上下方向についての位置を、前記音像の自動車の左右及び上下方向についての所望の定位位置として受け付け、
前記定位位置入力受付部は、入力を受け付けたレイアウト画像上の左右及び上下方向の位置に対応する自動車の左右及び上下方向についての位置を、前記ユーザが聴感上確認した前記複数スピーカから出力されたオーディオ音の音像の自動車の左右及び上下方向についての定位位置として受け付け、
前記遅延時間差制御部は、前記定位位置設定受付部が設定受け付けた自動車の左右及び上下方向についての定位位置に、前記オーディオ音の音像が自動車の左右及び上下方向について定位するように、前記記憶部に記憶された前記関係情報が示す前記関係に従って求めた遅延時間差を、前記遅延部に、前記各スピーカに出力されるオーディオ信号間に与えさせることを特徴とするオーディオシステム。
【請求項６】
請求項２記載のオーディオシステムであって、
当該オーディオシステムは、自動車に搭載されるオーディオシステムであって、
前記レイアウト画像は、自動車の車内の水平方向のレイアウトを表した画像であり、
前記定位位置設定受付部は、入力を受け付けたレイアウト画像上の左右及び上下方向の位置に対応する自動車の左右及び前後方向についての位置を、前記音像の自動車の左右及び前後方向についての所望の定位位置として受け付け、
前記定位位置入力受付部は、入力を受け付けたレイアウト画像上の左右及び上下方向の位置に対応する自動車の左右及び前後方向についての位置を、前記ユーザが聴感上確認した前記複数スピーカから出力されたオーディオ音の音像の自動車の左右及び前後方向についての定位位置として受け付け、
前記遅延時間差制御部は、前記定位位置設定受付部が設定受け付けた自動車の左右及び前後方向についての定位位置に、前記オーディオ音の音像が自動車の左右及び前後方向について定位するように、前記記憶部に記憶された前記関係情報が示す前記関係に従って求めた遅延時間差を、前記遅延部に、前記各スピーカに出力されるオーディオ信号間に与えさせることを特徴とするオーディオシステム。
【請求項７】
オーディオ音を出力する複数のスピーカと、前記各スピーカに当該スピーカから出力するオーディオ音を表すオーディオ信号を出力するオーディオソース機器と、前記オーディオソース機器から前記各スピーカに出力されるオーディオ信号間に遅延時間差を与える遅延部とを備えたオーディオシステムであって、
前記複数スピーカから出力されるオーディオ音の音像の定位位置と、前記各スピーカに出力されるオーディオ信号間に与える遅延時間差との関係を示す関係情報を記憶した記憶部と、
ユーザから、前記複数スピーカから出力されるオーディオ音の音像の所望の定位位置の設定を受け付ける定位位置設定受付部と、
前記定位位置設定受付部が設定受け付けた定位位置に前記オーディオ音の音像が定位するように、前記記憶部に記憶された前記関係情報が示す前記関係に従って求めた遅延時間差を、前記遅延部に、前記各スピーカに出力されるオーディオ信号間に与えさせる遅延時間差制御部と、
前記遅延部が前記各スピーカに出力されるオーディオ信号間に与える遅延時間差を変化させながら、ユーザから当該ユーザが聴感上確認した前記複数スピーカから出力されたオーディオ音の音像の定位位置の入力を受け付け、入力を受け付けた各定位位置と、当該定位位置をユーザが聴感上確認したときに、前記遅延部が、前記各スピーカに出力されるオーディオ信号間に与えていた遅延時間差との各対応に整合するように、前記記憶部に記憶されている関係情報が表す前記関係を修正する関係情報校正部とを有することを特徴とするオーディオシステム。
【請求項８】
請求項７記載のオーディオシステムであって、
表示装置と位置入力装置とを備え、
前記関係情報校正部は、前記表示装置に、前記オーディオ音の聴取空間のレイアウトを表すレイアウト画像を表示し、前記位置入力装置を介した表示したレイアウト画像上の位置の入力を受け付け、入力を受け付けたレイアウト画像上の位置に対応する前記聴取空間の位置を、前記ユーザが聴感上確認した前記複数スピーカから出力されたオーディオ音の音像の定位位置として受け付けることを特徴とするオーディオシステム。
【請求項９】
請求項８記載のオーディオシステムであって、
前記位置入力装置は、前記表示装置の表示面上に配置されたタッチパネルであることを特徴とするオーディオシステム。
【請求項１０】
請求項７記載のオーディオシステムであって、
当該オーディオシステムは、自動車に搭載されるオーディオシステムであって、
前記レイアウト画像は、自動車のダッシュボード及びダッシュボード周辺を車内から見たレイアウトを表した画像であり、
前記関係情報校正部は、音像の定位位置が自動車の左右方向に移動するように、前記遅延部が前記各スピーカに出力されるオーディオ信号間に与える遅延時間差を変化させると共に、入力を受け付けたレイアウト画像上の左右方向の位置に対応する自動車の左右方向についての位置を、前記ユーザが聴感上確認した前記複数スピーカから出力されたオーディオ音の音像の自動車の左右方向についての定位位置として受け付けることを特徴とするオーディオシステム。
【請求項１１】
請求項７記載のオーディオシステムであって、
当該オーディオシステムは、自動車に搭載されるオーディオシステムであって、
前記レイアウト画像は、自動車のダッシュボード及びダッシュボード周辺を車内から見たレイアウトを表した画像であり、
前記関係情報校正部は、音像の定位位置が自動車の左右及び上下方向に移動するように、前記遅延部が前記各スピーカに出力されるオーディオ信号間に与える遅延時間差を変化させると共に、入力を受け付けたレイアウト画像上の左右及び上下方向の位置に対応する自動車の左右及び上下方向についての位置を、前記ユーザが聴感上確認した前記複数スピーカから出力されたオーディオ音の音像の自動車の左右及び上下方向についての定位位置として受け付けることを特徴とするオーディオシステム。
【請求項１２】
請求項７記載のオーディオシステムであって、
当該オーディオシステムは、自動車に搭載されるオーディオシステムであって、
前記レイアウト画像は、自動車の車内の水平方向のレイアウトを表した画像であり、
前記関係情報校正部は、音像の定位位置が自動車の左右及び前後方向に移動するように、前記遅延部が前記各スピーカに出力されるオーディオ信号間に与える遅延時間差を変化させると共に、入力を受け付けたレイアウト画像上の左右及び上下方向の位置に対応する自動車の左右及び前後方向についての位置を、前記ユーザが聴感上確認した前記複数スピーカから出力されたオーディオ音の音像の自動車の左右及び前後方向についての定位位置として受け付けることを特徴とするオーディオシステム。
【請求項１３】
オーディオ音を出力する複数のスピーカと、前記各スピーカに当該スピーカから出力するオーディオ音を表すオーディオ信号を出力するオーディオソース機器と、前記オーディオソース機器から前記各スピーカに出力されるオーディオ信号間に遅延時間差を与える遅延部とを備えたオーディオシステムにおいて、前記複数スピーカから出力されるオーディオ音の音像の定位位置を調整する定位位置調整方法であって、
ユーザから、前記複数スピーカから出力されるオーディオ音の音像の所望の定位位置の設定を受け付け、設定を受け付けた定位位置に前記オーディオ音の音像が定位するように、予め用意した前記遅延時間差と前記複数スピーカから出力されるオーディオ音の音像の定位位置との関係を示す関係情報に従って求めた遅延時間差を、前記遅延部に、前記各スピーカに出力されるオーディオ信号間に与えさせるステップと、
ユーザから、当該ユーザが聴感上確認した前記複数スピーカから出力されたオーディオ音の音像の定位位置の入力があった場合に、受け付けた定位位置と、当該定位位置をユーザが聴感上確認したときに、前記遅延部が、前記各スピーカに出力されるオーディオ信号間に与えていた遅延時間差との対応に整合するように、前記関係情報が表す前記関係を修正し、修正した関係情報に従って設定を受け付けた定位位置に前記オーディオ音の音像が定位するように求めた遅延時間差を、前記遅延部に、前記各スピーカに出力されるオーディオ信号間に与えさせるステップとを有することを特徴とする定位位置調整方法。
【請求項１４】
請求項１３記載の定位位置調整方法であって、
前記オーディオ音の聴取空間のレイアウトを表すレイアウト画像を表示し、表示したレイアウト画像上の位置の入力を受け付け、入力を受け付けたレイアウト画像上の位置の位置に対応する前記聴取空間の位置を、前記設定された定位位置とすることにより、前記ユーザからの定位位置の設定の受け付けを行い、
前記レイアウト画像を表示し、表示したレイアウト画像上の位置の入力を受け付け、入力を受け付けたレイアウト画像上の位置に対応する前記聴取空間の位置を、ユーザが聴感上確認した前記複数スピーカから出力されたオーディオ音の音像の定位位置として、前記ユーザからの当該ユーザが聴感上確認した前記複数スピーカから出力されたオーディオ音の音像の定位位置の入力の受け付けを行うことを特徴とする定位位置調整方法。
【請求項１５】
請求項１３記載の定位位置調整方法であって、
前記オーディオ音の聴取空間は自動車の車内であって、
前記レイアウト画像は、自動車の車内のようすを表す画像であることを特徴とする定位位置調整方法。
【請求項１６】
オーディオ音を出力する複数のスピーカと、前記各スピーカに当該スピーカから出力するオーディオ音を表すオーディオ信号を出力するオーディオソース機器と、前記オーディオソース機器から前記各スピーカに出力されるオーディオ信号間に遅延時間差を与える遅延部と、前記遅延部に設定された定位位置に前記オーディオ音の音像が定位するように、予め用意した前記遅延時間差と前記複数スピーカから出力されるオーディオ音の音像の定位位置との関係を示す関係情報に従って求めた遅延時間差を、前記遅延部に、前記各スピーカに出力されるオーディオ信号間に与えさせる遅延時間差制御部とを備えたオーディオシステムにおいて、前記関係情報が示す前記関係を校正する定位位置校正方法であって、
前記遅延部が前記各スピーカに出力されるオーディオ信号間に与える遅延時間差を変化させながら、ユーザから当該ユーザが聴感上確認した前記複数スピーカから出力されたオーディオ音の音像の定位位置の入力を受け付けるステップと、
入力を受け付けた各定位位置と、当該定位位置をユーザが聴感上確認したときに、前記遅延部が、前記各スピーカに出力されるオーディオ信号間に与えていた遅延時間差との各対応に整合するように、前記関係情報が表す前記関係を校正するステップとを有することを特徴とする定位位置校正方法。
【請求項１７】
請求項１６記載の定位位置校正方法であって、
前記オーディオ音の聴取空間のレイアウトを表すレイアウト画像を表示し、表示したレイアウト画像上の位置の入力を受け付け、入力を受け付けたレイアウト画像上の位置に対応する前記聴取空間の位置を、ユーザが聴感上確認した前記複数スピーカから出力されたオーディオ音の音像の定位位置として、前記ユーザからの当該ユーザが聴感上確認した前記複数スピーカから出力されたオーディオ音の音像の定位位置の入力の受け付けを行うことを特徴とする定位位置校正方法。
【請求項１８】
請求項１６記載の定位位置校正方法であって、
前記オーディオ音の聴取空間は自動車の車内であって、
前記レイアウト画像は、自動車の車内のようすを表す画像であることを特徴とする定位位置校正方法。
【請求項１９】
オーディオ音を出力する複数のスピーカと、前記各スピーカに当該スピーカから出力するオーディオ音を表すオーディオ信号を出力するオーディオソース機器と、前記オーディオソース機器から前記各スピーカに出力されるオーディオ信号間に遅延時間差を与える遅延部とを備えたコンピュータシステムによって、読み取られ実行されるコンピュータプログラムであって、
前記コンピュータシステムに、
ユーザから、前記複数スピーカから出力されるオーディオ音の音像の所望の定位位置の設定を受け付け、設定を受け付けた定位位置に前記オーディオ音の音像が定位するように、予め用意した前記遅延時間差と前記複数スピーカから出力されるオーディオ音の音像の定位位置との関係を示す関係情報に従って求めた遅延時間差を、前記遅延部に、前記各スピーカに出力されるオーディオ信号間に与えさせるステップと、
ユーザから、当該ユーザが聴感上確認した前記複数スピーカから出力されたオーディオ音の音像の定位位置の入力があった場合に、受け付けた定位位置と、当該定位位置をユーザが聴感上確認したときに、前記遅延部が、前記各スピーカに出力されるオーディオ信号間に与えていた遅延時間差との対応に整合するように、前記関係情報が表す前記関係を修正し、前記遅延部に、修正した関係情報に従って設定を受け付けた定位位置に前記オーディオ音の音像が定位するように求めた遅延時間差を前記各スピーカに出力されるオーディオ信号間に与えさせるステップとを実行させることを特徴とするコンピュータプログラム。
【請求項２０】
オーディオ音を出力する複数のスピーカと、前記各スピーカに当該スピーカから出力するオーディオ音を表すオーディオ信号を出力するオーディオソース機器と、前記オーディオソース機器から前記各スピーカに出力されるオーディオ信号間に遅延時間差を与える遅延部とを備えたコンピュータシステムによって、読み取られ実行されるコンピュータプログラムであって、
前記コンピュータシステムに、
前記遅延部が前記各スピーカに出力されるオーディオ信号間に与える遅延時間差を変化させながら、ユーザから当該ユーザが聴感上確認した前記複数スピーカから出力されたオーディオ音の音像の定位位置の入力を受け付けるステップと、
入力を受け付けた各定位位置と、当該定位位置をユーザが聴感上確認したときに、前記遅延部が、前記各スピーカに出力されるオーディオ信号間に与えていた遅延時間差との各対応に整合するように、前記遅延時間差と前記複数スピーカから出力されるオーディオ音の音像の定位位置との関係を示す関係情報を校正するステップと、
ユーザから設定された定位位置に前記オーディオ音の音像が定位するように、前記関係情報が示す関係に従って求めた遅延時間差を、前記遅延部に、前記各スピーカに出力されるオーディオ信号間に与えさせるステップとを実行させることを特徴とするコンピュータプログラム。
【発明の詳細な説明】
【技術分野】
【０００１】
本発明は、複数のスピーカを備えたオーディオシステムにおいて、各スピーカの出力間に遅延時間差を与えることにより、音像の定位位置を制御する技術に関するものである。
【背景技術】
【０００２】
複数のスピーカを備えたオーディオシステムにおいて、各スピーカの出力間に遅延時間差を与えることにより、音像の定位位置を制御する技術としては、各スピーカ毎にスピーカに出力するオーディオ信号を遅延させる遅延器を設け、ユーザからオーディオ音の聴取位置の指定を受け付け、予め設定しておいた聴取位置と各スピーカに出力するオーディオ信号の遅延時間との関係に基づいて、受け付けた聴取位置前方に音像が定位するように前記各遅延器の遅延時間を設定する技術が知られている（たとえば、特許文献１）。
【特許文献１】特開平10-248098号公報
【発明の開示】
【発明が解決しようとする課題】
【０００３】
前記従来の技術によれば、予め設定しておいた聴取位置と各スピーカに出力するオーディオ信号の遅延時間との関係と、ユーザから指定された聴取位置とに基づいて、各スピーカに出力するオーディオ信号の遅延時間を制御するが、車内の状況等によっては、このような制御によっては、ユーザの所望の位置に正しく音像を定位させることができない場合がある。そして、このような場合、ユーザは、試行錯誤的に、出力されるオーディオ音が所望の位置に定位するまで、指定する聴取位置を少しずつ変化させながらスピーカから出力されるオーディオ音の定位位置を確認する煩雑な作業を行う必要がある。
【０００４】
そこで、本発明は、ユーザが容易に、複数のスピーカから出力されるオーディオ音の音像を、ユーザの所望の位置に定位させることのできるオーディオシステムを提供することを課題とする。
【課題を解決するための手段】
【０００５】
前記課題達成のために本発明は、オーディオ音を出力する複数のスピーカと、前記各スピーカに当該スピーカから出力するオーディオ音を表すオーディオ信号を出力するオーディオソース機器と、前記オーディオソース機器から前記各スピーカに出力されるオーディオ信号間に遅延時間差を与える遅延部とを備えたオーディオシステムに、前記複数スピーカから出力されるオーディオ音の音像の定位位置と、前記各スピーカに出力されるオーディオ信号間に与える遅延時間差との関係を示す関係情報を記憶した記憶部と、ユーザから、前記複数スピーカから出力されるオーディオ音の音像の所望の定位位置の設定を受け付ける定位位置設定受付部と、前記定位位置設定受付部が設定受け付けた定位位置に前記オーディオ音の音像が定位するように、前記記憶部に記憶された前記関係情報が示す前記関係に従って求めた遅延時間差を、前記遅延部に、前記各スピーカに出力されるオーディオ信号間に与えさせる遅延時間差制御部と、ユーザから、当該ユーザが聴感上確認した前記複数スピーカから出力されたオーディオ音の音像の定位位置の入力を受け付ける定位位置入力受付部と、前記定位位置入力受付部が入力を受け付けた定位位置と、当該定位位置をユーザが聴感上確認したときに前記遅延部が、前記各スピーカに出力されるオーディオ信号間に与えていた遅延時間差との対応に整合するように、前記記憶部に記憶されている関係情報が表す前記関係を修正する関係情報修正部とを備えたものである。
【０００６】
このようなオーディオシステムによれば、ユーザから設定された定位位置に音像が定位するように算出した遅延時間差と、当該遅延時間差によるオーディオ音の出力に対して実際にユーザが聴感上確認した音像の定位位置との対応に整合するように、自動的に、設定された定位位置に音像を定位させるための遅延時間差を算出するために用いる関係情報を修正し、修正した関係情報に基づいて、設定された定位位置に音像が定位するように、前記遅延時間差を制御する。したがって、より正しくユーザの聴感上の定位位置と遅延時間差との関係を表すように関係情報を修正して、より適正にユーザから設定された定位位置に音像を定位させることができるようになる。また、この際に、ユーザは、自身が聴感上確認した前記複数スピーカから出力されたオーディオ音の音像の定位位置を指定するだけで良い。したがって、ユーザは容易に、複数のスピーカから出力されるオーディオ音の音像を、所望の位置に定位させることができるようになる。
【０００７】
また、前記課題達成のために、本発明は、オーディオ音を出力する複数のスピーカと、前記各スピーカに当該スピーカから出力するオーディオ音を表すオーディオ信号を出力するオーディオソース機器と、前記オーディオソース機器から前記各スピーカに出力されるオーディオ信号間に遅延時間差を与える遅延部とを備えたオーディオシステムに、前記複数スピーカから出力されるオーディオ音の音像の定位位置と、前記各スピーカに出力されるオーディオ信号間に与える遅延時間差との関係を示す関係情報を記憶した記憶部と、ユーザから、前記複数スピーカから出力されるオーディオ音の音像の所望の定位位置の設定を受け付ける定位位置設定受付部と、前記定位位置設定受付部が設定受け付けた定位位置に前記オーディオ音の音像が定位するように、前記記憶部に記憶された前記関係情報が示す前記関係に従って求めた遅延時間差を、前記遅延部に、前記各スピーカに出力されるオーディオ信号間に与えさせる遅延時間差制御部と、前記遅延部が前記各スピーカに出力されるオーディオ信号間に与える遅延時間差を変化させながら、ユーザから当該ユーザが聴感上確認した前記複数スピーカから出力されたオーディオ音の音像の定位位置の入力を受け付け、入力を受け付けた各定位位置と、当該定位位置をユーザが聴感上確認したときに、前記遅延部が、前記各スピーカに出力されるオーディオ信号間に与えていた遅延時間差との各対応に整合するように、前記記憶部に記憶されている関係情報が表す前記関係を修正する関係情報校正部とを備えたものである。
【０００８】
このようなオーディオシステムによれば、複数の遅延時間差と、当該遅延時間差によるオーディオ音の出力に対して実際にユーザが聴感上確認した音像の定位位置との対応に整合するように、自動的に、設定された定位位置に音像を定位させるための遅延時間差を算出するために用いる関係情報を校正することができる。したがって、より正しくユーザの聴感上の定位位置と遅延時間差との関係を表すように関係情報を校正して、より適正にユーザから設定された定位位置に音像を定位させることができるようになる。また、この際に、ユーザは、自身が聴感上確認した前記複数スピーカから出力されたオーディオ音の音像の定位位置を指定していくだけで良い。したがって、ユーザは容易に、複数のスピーカから出力されるオーディオ音の音像を、所望の位置に定位させることができるようになる。
【０００９】
ここで、このようなオーディオシステムには、さらに表示装置と位置入力装置とを備え、前記定位位置の設定や入力の受け付けを、前記表示装置に、前記オーディオ音の聴取空間のレイアウトを表すレイアウト画像を表示し、前記位置入力装置を介した表示したレイアウト画像上の位置の入力を受け付け、入力を受け付けたレイアウト画像上の位置の位置に対応する前記聴取空間の位置を、設定や入力を受け付ける定位位置とすることにより行うようにしてもよい。
【００１０】
また、この場合において、オーディオシステムが自動車に搭載されるオーディオシステムである場合には、前記レイアウト画像を、自動車のダッシュボード及びダッシュボード周辺を車内から見たレイアウトを表した画像とし、入力を受け付けたレイアウト画像上の左右方向の位置に対応する自動車の左右方向についての位置を、設定や入力を受け付ける自動車の左右方向についての定位位置とするようにしてもよい。または、前記レイアウト画像を、自動車のダッシュボード及びダッシュボード周辺を車内から見たレイアウトを表した画像とし、入力を受け付けたレイアウト画像上の左右及び上下方向の位置に対応する自動車の左右及び上下方向についての位置を、設定や入力を受け付ける自動車の左右及び上下方向についての定位位置とするようにしてもよい。または、前記レイアウト画像を、自動車の車内の水平方向のレイアウトを表した画像とし、入力を受け付けたレイアウト画像上の左右及び上下方向の位置に対応する自動車の左右及び前後方向についての位置を、設定や入力を受け付ける自動車の左右及び前後方向についての定位位置とするようにしてもよい。
【００１１】
なお、以上の各オーディオシステムにおける位置入力装置は、前記表示装置の表示面上に配置されたタッチパネルとすることも好ましい。
【発明の効果】
【００１２】
以上のように、本発明によれば、ユーザは、複数のスピーカから出力されるオーディオ音の音像を、容易に所望の位置に定位させることができる。
【発明を実施するための最良の形態】
【００１３】
以下、本発明の実施形態について、車載のオーディオシステムへの適用を例にとり説明する。
図１に、本実施形態に係るオーディオシステムの構成を示す。
図示するように、オーディオシステムは、オーディオソース機器１、チャネル毎に設けられた可変遅延部２とスピーカ３のセット、制御部４、入力装置であるタッチパネル５、表示部６、メモリ７とを備えている。
ここで、オーディオソース機器１は、CD-DAプレイヤやMDプレイヤやDVD-Audioプレイヤやラジオ放送チューナなどの、ユーザの聴取の目的となるオーディオ信号を出力する機器である。また、タッチパネル５は、表示部６の表示面上に配置されている。
ここで、本オーディオシステムは、チャネルとして左チャネルと右チャネルを備えている。そして、左チャネルの可変遅延部２はオーディオソース機器１から左チャネルのスピーカ３（Ｌで示す）に出力される左チャネルのオーディオ信号を設定された遅延時間遅延させ、右チャネルの可変遅延部２はオーディオソース機器１から右チャネルのスピーカ３（Ｒで示す）に出力される右チャネルオーディオ信号を設定された遅延時間遅延させる。また、メモリ７には、音像定位位置と、右チャネルの遅延時間と左チャネルの遅延時間との時間差との関係を規定する定位位置-遅延時間差テーブルが記憶されている。
【００１４】
さて、このような構成において、制御部４は、表示部６とタッチパネル５を用いて、ユーザに各種ＧＵＩを提供し、当該ＧＵＩ上でタッチパネル５を介して入力するユーザ操作に応じて以上各部の動作を制御する。
すなわち、制御部４は、ＧＵＩ上でタッチパネル５を介して入力するユーザ操作に従って、オーディオソース機器１の音量調整動作を始めとする各種動作を制御する。たとえば、オーディオソース機器１が、CD-DAプレイヤやMDプレイヤやDVD-Audioプレイヤなどであれば、その各種再生動作（再生開始、停止、再生スキップなど）の制御などを行い、オーディオソース機器１がラジオ放送受信機であれば、その受信動作（受信放送チャネル切替など）の制御などを行う。
【００１５】
また、制御部４は、ＧＵＩ上でタッチパネル５を介してユーザから定位位置設定指示を受けると、定位位置設定処理を行う。
図２に、この定位位置設定処理の手順を示す。
図示するように、この処理では、まず、表示部６に定位位置受付ウインドウを表示する（ステップ２０２）。
図３ａに、この定位位置受付ウインドウを示す。
図示するように、定位位置受付ウインドウ３００は、ダッシュボードを模したダッシュボード画像３５０を表した定位位置指定受付領域３０１と、メッセージ領域３０２とよりなり、メッセージ領域３０２には、所望の定位位置に対応するダッシュボード画像３５０上の位置に重なるタッチパネル５上の位置をタッチするよう促すメッセージを表示している。
【００１６】
さて、図２に戻り、定位位置受付ウインドウ３００を表示したならば、ユーザのタッチパネル５のタッチによって、定位位置の指定を受け付ける（ステップ２０４）。ここで、ダッシュボード画像３５０の左右方向座標には、図３ｄに示すように、ダッシュボードのセンターを０として左から右に向かって-１００から１００に増加する定位位置座標が対応づけられており、ステップ２０４では、ユーザがタッチパネル５にタッチした位置に対応するダッシュボード画像３５０の左右方向座標に対応する定位位置座標を、定位位置の指定として受け付ける。なお、図３ａにおいて図中３０３は、ユーザのタッチ位置を示すために表示するカーソルである。
【００１７】
図２に戻り、定位位置の指定を受け付けたならば、定位位置受付ウインドウ３００を閉じ、メモリ７の定位位置-遅延時間差テーブルが示す関係に従って、指定を受け付けた定位位置に対して定まる右チャネルの遅延時間と左チャネルの遅延時間との時間差を満足するように、右チャネルの遅延時間と左チャネルの遅延時間を算出し、右チャネルの可変遅延部２と左チャネルの可変遅延部２に各々設定する（ステップ２０６）。ここで、図４ａの実線４０１は、定位位置-遅延時間差テーブルによって表される定位位置と右チャネルの遅延時間と左チャネルの遅延時間差ΔＤとの関係を定位位置-遅延時間差空間上で示す定位位置-遅延時間差曲線である。ここで、定位位置-遅延時間差空間とは、定位位置座標を表す座標軸と、右チャネルの遅延時間と左チャネルの遅延時間との時間差ΔＤを表す座標軸により定義される空間である。さて、このような定位位置-遅延時間差曲線４０１を表す定位位置-遅延時間差テーブルがメモリ７に記憶されている場合、ステップ２０６では、たとえば、定位位置として定位位置座標５０の指定を受け付けた場合には、図中の三角で示すポイント４１１の時間差ΔＤの値Δｄ１が、右チャネルの可変遅延部２の遅延時間と左チャネルの左チャネルの可変遅延部２の遅延時間との時間差となり、かつ、設定する最も大きな遅延時間が最小となるように各チャネルの可変遅延部２に遅延時間を設定する。
【００１８】
図２に戻り、各可変遅延部２に遅延時間を設定したならば、次に、定位位置確認ウインドウを表示部６に表示する（ステップ２０８）。
図３ｂに示すように定位位置確認ウインドウ３１０は、ダッシュボード画像３５０を表した定位位置受付領域３１１と、メッセージ領域３１２とよりなる。そして、ダッシュボード画像３５０上には、先に指定を受け付けた定位位置を示すマーク３１３を表示している。また、メッセージ領域３１２には、所望の定位位置に音像が定位したかどうかを問い合わせるメッセージと、所望の定位位置に音像が定位していない場合には音像が定位している位置に対応するダッシュボード画像３５０上の位置に重なるタッチパネル５上の位置をタッチするよう促すメッセージを表示すると共に、所望の定位位置に音像が定位したことの承認を受け付ける「ＹＥＳ」ボタン３１４を設けている。
【００１９】
さて、図２に戻り、定位位置確認ウインドウ３１０を表示したならば、ユーザのタッチパネル５のタッチによる定位位置の入力と（ステップ２１０）と、「ＹＥＳ」ボタン３１４の操作による定位位置の承認（ステップ２１２）の発生を監視する。
そして、図３ｃに示すように、ユーザのタッチパネル５のタッチによる定位位置の入力が発生したならば、ユーザがタッチパネル５にタッチした位置に対応するダッシュボード画像３５０の左右方向座標に対応する定位位置座標を、確認定位位置の指定として受け付ける。なお、図３ｃ中３１５は、ユーザのタッチ位置を示すために表示するカーソルである。
【００２０】
そして、確認定位位置として受け付けた定位位置座標と、現時点で右チャネルの可変遅延部２に設定している遅延時間と左チャネルの可変遅延部２に設定している遅延時間との時間差Δｄとの対応をユーザ確認定位情報として記憶する（ステップ２１４）。そして、それまでに記憶した各ユーザ確認定位情報が示す、定位位置座標と、現時点で右チャネルの可変遅延部２に設定している遅延時間と左チャネルの可変遅延部２に設定している遅延時間との時間差との関係を満足するように、メモリ７に記憶している定位位置-遅延時間差テーブルを修正し（ステップ２１６）、ステップ２０６からの処理を繰り返す。
【００２１】
さて、ステップ２１６における定位位置-遅延時間差テーブルの修正は、たとえば、次のように行う。
まず、記憶されているユーザ確認定位情報が一つしかない場合には、次のように修正を行う。
すなわち、図４ａの三角のポイント４１１の遅延時間差Δｄの値ΔＤ１を満たす各可変遅延部２の遅延時間の設定に対する、ユーザの確認定位位置の指定に応じて記録されたユーザ確認定位情報が示す定位位置と遅延時間差Δｄとが、図示するように定位位置-遅延時間差空間上で四角のポイント４２１を示す場合には、定位位置-遅延時間差テーブルが示す定位位置-遅延時間差曲線４０１を、定位位置-遅延時間差曲線上に四角のポイント４２１が位置するように遅延時間差Δｄ方向に拡大または縮小することにより新たな定位位置-遅延時間差曲線４０２を求め、求めた定位位置-遅延時間差曲線４０２を表すように定位位置-遅延時間差テーブルを修正する。ただし、定位位置-遅延時間差曲線４０１を、定位位置-遅延時間差空間上で定位位置-遅延時間差曲線上に四角のポイント４２１が位置するように遅延時間差Δｄ方向にオフセットすることにより新たな定位位置-遅延時間差曲線４０３を求めるようにしてもよい。
【００２２】
次に、記憶されているユーザ確認定位情報が複数である場合には、次のように修正を行う。
すなわち、たとえば、図４ａのように定位位置-遅延時間差曲線４０１が、定位位置-遅延時間差曲線４０１を遅延時間差Δｄ方向に拡大することにより定位位置-遅延時間差曲線４０２に修正されると、今度は、図４ｂに示すように修正後の定位位置-遅延時間差曲線４０２に従って、ユーザが指定した定位位置の定位位置座標５０に対応する三角のポイント４１２の遅延時間差Δｄの値Δｄ２を満たすように、各可変遅延部２に遅延時間が設定される。そして、この各可変遅延部２の遅延時間の設定に対する、ユーザの確認定位位置の指定に応じて記録されたユーザ確認定位情報が示す定位位置と遅延時間差Δｄとが、定位位置-遅延時間差空間上で四角のポイント４２２を示す場合には、図４ｃに示すように、定位位置-遅延時間差空間上で、この四角４２２のポイントと、先に記録されているユーザ確認定位情報が示す定位位置と遅延時間差Δｄとが示す四角のポイント４２１とを滑らかに結ぶ曲線が、新たな定位位置-遅延時間差曲線４０３となるように定位位置-遅延時間差テーブルを修正する。なお、この曲線は、各四角のポイント４２１、４２２を通るスプライン曲線やペジェ曲線として得られる。また、記憶されているユーザ確認定位情報が二つのみである場合、この曲線は直線となる。そして、修正後の定位位置-遅延時間差曲線４０３に従って、ユーザが指定した定位位置の定位位置座標５０に対応する三角のポイント４１３の遅延時間差Δｄの値Δｄ３を満たすように、各可変遅延部２に遅延時間が設定されることになる。
【００２３】
以下、同様に、定位位置確認ウインドウ３１０の「ＹＥＳ」ボタン３１４が操作されるまで、操作定位位置-遅延時間差曲線を修正しながら、修正後の定位位置-遅延時間差曲線に従って、ユーザが指定した定位位置の定位位置座標５０に対応する定位位置-遅延時間差曲線上のポイントの遅延時間差Δｄの値を満たすように、各可変遅延部２に遅延時間を設定し、この設定に対するユーザの確認定位位置の指定に応じて記録されたユーザ確認定位情報と、それまでに記録された全てのユーザ確認定位情報が定位位置-遅延時間差空間上に表す各四角のポイントを、たとえば、図４ｄに示すように滑らかに結ぶ曲線が、新たな定位位置-遅延時間差曲線４０４となるように定位位置-遅延時間差テーブルを修正する。
【００２４】
さて、図２に戻り、ステップ２０８で定位位置確認ウインドウ３１０を表示した後、「ＹＥＳ」ボタン３１４の操作による定位位置の承認（ステップ２１２）が発生した場合には、そのまま定位位置確認ウインドウ３１０を閉じ処理を終了する。
以上、制御部４が行う定位位置設定処理について説明した。
このような定位位置設定処理によれば、ユーザから指定された定位位置に音像が定位するように算出した遅延時間差と、当該遅延時間差によるオーディオ音の出力に対して実際にユーザが聴感上確認した音像の定位位置との対応に整合するように、自動的に、指定された定位位置に音像を定位させるための遅延時間差を算出するために用いる定位位置-遅延時間差テーブルを修正し、修正した定位位置-遅延時間差テーブルに基づいて、指定された定位位置に音像が定位するように、前記遅延時間差を修正する。したがって、より正しくユーザの聴感上の定位位置と遅延時間差との関係を表すように定位位置-遅延時間差テーブルを修正して、より適正にユーザから設定された定位位置に音像を定位させることができるようになる。また、この際に、ユーザは、自身が聴感上確認したオーディオ音の音像の定位位置をダッシュボード画像３５０上で指定するだけで良い。したがって、ユーザは容易に、複数のスピーカ３から出力されるオーディオ音の音像を、所望の位置に定位させることができるようになる。
【００２５】
次に、制御部４が行う定位位置校正処理について説明する。
図５に、この定位位置校正処理の手順を示す。
図示するように、この処理では、まず、定位位置校正ウインドウを表示部６に表示する（ステップ５０２）。
図６ａに示すように定位位置校正ウインドウ６００は、ダッシュボード画像３５０を表した定位位置受付領域６０１と、メッセージ領域６０２とよりなる。そして、メッセージ領域６０２には、定位位置の校正開始を通知するメッセージを表示する。
ここで、本実施形態では、予め定めた複数の定位位置を予めリファレンス位置として設定しておく。たとえば、図６ｄに示すように、右から左に＃１から＃９の９つの異なる定位位置座標を持つ定位位置を、予めリファレンス位置として設定しておく。
さて、図５に戻り、定位位置校正ウインドウ６００を表示したならば、各リファレンス位置について（ステップ５０４、５１２、５１６）以下の処理を行う。
すなわち、定位位置-遅延時間差テーブルが示す定位位置-遅延時間差曲線上のリファレンス位置の定位置座標に対応するポイントの遅延時間差Δｄの値を満足するように、右チャネルの遅延時間と左チャネルの遅延時間を算出し、右チャネルの可変遅延部２と左チャネルの可変遅延部２に各々設定する（ステップ５０６）。
【００２６】
そして、図６ｂに示すように、定位位置校正ウインドウ６００のメッセージ領域６０２のメッセージを音像が定位している位置に対応するダッシュボード画像３５０上の位置に重なるタッチパネル５上の位置をタッチするよう促すメッセージに変更し、ユーザがタッチパネル５にタッチした位置に対応するダッシュボード画像３５０の左右方向座標に対応する定位位置座標を、確認定位位置の指定として受け付ける（ステップ５０８）。なお、図６ｂ中６０３は、ユーザのタッチ位置を示すために表示するカーソルである。
【００２７】
そして、確認定位位置として受け付けた定位位置座標と、現時点で右チャネルの可変遅延部２に設定している遅延時間と左チャネルの可変遅延部２に設定している遅延時間との時間差Δｄとの対応をユーザ確認定位情報として記憶する（ステップ５１０）。
そして、全てのリファレンス位置についてのステップ５０６-５１０の処理が終了したかどうかを調べ（ステップ５１２）、処理が終了していなければ、図６ｃに示すように、定位位置校正ウインドウ６００のメッセージ領域６０２のメッセージをリファレンス位置を切り替える旨のメッセージに変更し（ステップ５１６）、次のリファレンス位置についてのステップ５０６-５１０の処理を行う。
【００２８】
一方、全てのリファレンス位置についてのステップ５０６-５１０の処理が終了したならば、それまでに記憶した各ユーザ確認定位情報が示す、定位位置座標と、現時点で右チャネルの可変遅延部２に設定している遅延時間と左チャネルに設定している遅延時間との時間差との関係を満足するように、メモリ７に記憶している定位位置-遅延時間差テーブルを修正し（ステップ５１４）、処理を終了する。
【００２９】
以上の定位位置校正処理によれば、たとえば、定位位置校正処理開始時に、図７ａに示す定位位置-遅延時間差曲線７０１を表す定位位置-遅延時間差テーブルがメモリ７に記憶されている場合には、各リファレンス位置に対応する図中に三角で示したポイントの遅延時間差ΔＤの値が順次選定され、選定された遅延時間差ΔＤの値が右チャネルの可変遅延部２の遅延時間と左チャネルの左チャネルの可変遅延部２の遅延時間との時間差となり、かつ、最も大きな遅延時間を設定する可変遅延部２に設定される遅延時間が最小となるように各チャネルの可変遅延部２に遅延時間を設定される。そして、各設定に対して行われたユーザの確認定位位置の指定に応じて、定位位置-遅延時間差空間上で四角で示したポイントを表すユーザ確認定位情報が順次記録されていく。そして、最後に、図７ｂに示すように、それまでに記録された全てのユーザ確認定位情報が表す定位位置-遅延時間差空間上の四角のポイントを滑らかに結ぶ曲線が、新たな定位位置-遅延時間差曲線７０２となるように定位位置-遅延時間差テーブルが修正される。
【００３０】
以上、制御部４が行う定位位置校正処理について説明した。
このような定位位置校正処理によれば、各リファレンス位置に対応する遅延時間差と、当該遅延時間差によるオーディオ音の出力に対して実際にユーザが聴感上確認した音像の定位位置との対応に整合するように、自動的に、設定された定位位置に音像を定位させるための遅延時間差を算出するために用いる定位位置-遅延時間差テーブルを校正することができる。したがって、より正しくユーザの聴感上の定位位置と遅延時間差との関係を表すように定位位置-遅延時間差テーブルを校正して、より適正にユーザから設定された定位位置に音像を定位させることができるようになる。また、この際に、ユーザは、自身が聴感上確認した前記複数スピーカから出力されたオーディオ音の音像の定位位置を、複数回ダッシュボード画像３５０上で指定していくだけで良い。したがって、ユーザは容易に、複数のスピーカ３から出力されるオーディオ音の音像を、所望の位置に定位させることができるようになる。
【００３１】
ところで、以上では、オーディオシステムに、左チャネルと右チャネルの二つのチャネルと、各チャネルにつき一つずつの２つのスピーカ３とを設け、左右方向についてのみ定位位置のみを設定、校正する場合について説明したが、本実施形態は、オーディオソース機器１が出力するオーディオ信号が表すオーディオ音を出力する３以上のスピーカ３と、各スピーカ３にオーディオソース機器１が出力するオーディオ信号を遅延させる各スピーカ毎に設けた可変遅延部２を備えた場合などにおいて、左右方向のみならず、上下方向や、前後方向の定位位置を設定、校正する場合にも、同様に適用することができる。
【００３２】
たとえば、左右方向と上下方向の定位位置の設定、校正を行う場合には、メモリ７に記憶する定位位置-遅延時間差テーブルを、左右方向の定位位置と上下方向の定位位置との各組み合わせに対して、基準とする一つのスピーカ３に出力するオーディオ信号に可変遅延部２で与える遅延時間に対する、他の各スピーカに出力するオーディオ信号に可変遅延部２で与える遅延時間の時間差を規定するものとする。そして、図３の定位位置受付ウインドウ３００や定位位置確認ウインドウ３１０や、図６の定位位置校正ウインドウ６００のダッシュボード画像３５０上のタッチされた位置の左右方向座標と上下方向座標に応じて、左右方向と上下方向の定位位置の設定の座標を受け付けるようにする。
【００３３】
また、たとえば、左右方向と前後方向の定位位置の設定、校正を行う場合には、メモリ７に記憶する定位位置-遅延時間差テーブルを、左右方向の定位位置と前後方向の定位位置との各組み合わせに対して、基準とする一つのスピーカ３に出力するオーディオ信号に可変遅延部２で与える遅延時間に対する、他の各スピーカに出力するオーディオ信号に可変遅延部２で与える遅延時間の時間差を規定するものとする。そして、図３の定位位置受付ウインドウ３００や定位位置確認ウインドウ３１０や、図６の定位位置校正ウインドウ６００に、ダッシュボード画像３５０に代えて図８ａに示す車内水平方向のレイアウトを左側を車両前方として表す車内レイアウト画像８５０を表示する。そして、図８ｂ、ｃ、ｄに定位位置設定処理における定位位置受付ウインドウ３００や定位位置確認ウインドウ３１０の表示例を示したように、この車内レイアウト画像８５０上のタッチされた位置の左右方向座標と上下方向座標に応じて、前後方向と左右方向の定位位置の設定の座標を受け付けるようにする。
【００３４】
また、たとえば、左右方向と前後方向と上下方向の定位位置の設定、校正を行う場合には、メモリ７に記憶する定位位置-遅延時間差テーブルを、左右方向の定位位置と前後方向の定位位置と上下方向の定位位置との各組み合わせに対して、基準とする一つのスピーカ３に出力するオーディオ信号に可変遅延部２で与える遅延時間に対する、他の各スピーカに出力するオーディオ信号に可変遅延部２で与える遅延時間の時間差を規定するものとする。そして、図３の定位位置受付ウインドウ３００や定位位置確認ウインドウ３１０や、図６の定位位置校正ウインドウ６００に、ダッシュボード画像３５０に代えて、図９ａに示すダッシュボード画像３５０と車内レイアウト画像８５０とを組み合わせた組画像を表示する。また、図９ｂ、ｃ、ｄに定位位置設定処理における定位位置受付ウインドウ３００や定位位置確認ウインドウ３１０の表示例を示したように、組画像の車内レイアウト画像８５０上のタッチとダッシュボード画像３５０上のタッチとの二つのタッチを受け付ける。そして、組画像中の車内レイアウト画像８５０上のタッチされた位置の左右方向座標に応じて、前後方向の定位位置の設定の座標を受け付け、組画像中のダッシュボード画像３５０上のタッチされた位置の上下方向座標に応じて、上下方向の定位位置の設定の座標を受け付ける。また、組画像中の車内レイアウト画像８５０上のタッチされた位置と組画像中のダッシュボード画像上１０１のタッチされた位置とのうち最後にタッチされた位置に応じて、左右方向の定位位置の設定の座標を受け付ける。すなわち、最後にタッチされた位置が組画像中の車内レイアウト画像８５０上の位置であれば、車内レイアウト画像８５０上のタッチされた位置の上下方向座標に応じて、左右方向の定位位置の設定の座標を受け付け、最後にタッチされた位置が組画像中のダッシュボード画像３５０上の位置であれば、ダッシュボード画像３５０上のタッチされた位置の左右方向座標に応じて、左右方向の定位位置の設定の座標を受け付ける。
【００３５】
なお、以上の左右方向と上下方向の定位位置の設定、校正を行う場合も、左右方向と前後方向の定位位置の設定、校正を行う場合、左右方向と前後方向と上下方向の定位位置の設定、校正を行う場合も、定位位置確認ウインドウ３１０や定位位置校正ウインドウ６００でユーザから入力された定位位置座標と当該時点における各可変遅延部２に設定している遅延時間との組み合わせに応じて、当該組み合わせに整合するように、メモリ７に記憶している定位位置-遅延時間差テーブルを修正するのは、上述した実施形態と同様である。ただし、左右方向と上下方向の定位位置の校正を行う場合には、リファレンス位置としては、左右及び上下方向に異なる座標をとる位置を複数設定しておく。また、左右方向と前後方向の定位位置の校正を行う場合には、リファレンス位置としては、左右及び前後方向に異なる座標をとる位置を複数設定しておく。また、左右方向と前後方向と上下方向の定位位置の設定、校正を行う場合には、リファレンス位置としては、左右及び上下及び前後方向に異なる座標をとる位置を複数設定しておく。
【００３６】
また、以上の実施形態では、図３の定位位置受付ウインドウ３００や定位位置確認ウインドウ３１０や、図６の定位位置校正ウインドウ６００において、タッチパネル５を用いて、ユーザから定位位置の入力を受け付けたが、この定位位置の入力の受け付けは、タッチパネル５以外の入力装置を用いて受け付けるようにしてもよい。
【００３７】
たとえば、左右方向と上下方向の定位位置の設定、校正を行う場合について、図１０ａ、ｂ、ｃに、定位位置設定処理における定位位置受付ウインドウ３００や定位位置確認ウインドウ３１０における定位位置の受け付けの例を示したように、オーディオシステムに、二つのダイヤルスイッチを設け、一方のダイヤルスイッチ１０１の回転操作に応じてダッシュボード画像３５０上のカーソル１１１を左右に移動させると共に所定の決定操作が行われたときの当該ダイヤルスイッチ１０１の回転角度に応じた座標を左右方向の定位置座標として受け付け、他方のダイヤルスイッチ１０２の回転操作に応じてダッシュボード画像３５０上のカーソル１１１を上下に移動させると共に所定の決定操作が行われたときのダイヤルスイッチ１０２の回転角度に応じた座標を上下方向の定位置座標として受け付けるようにするなどしてよい。
また、制御部４は、ＣＰＵやメモリを備え、所定のプログラムを実行することにより、以上の各処理を行うコンピュータとして構成するようにしてもよい。
【図面の簡単な説明】
【００３８】
【図１】本発明の実施形態に係るオーディオシステムの構成を示すブロック図である。
【図２】本発明の実施形態に係るオーディオシステムにおいて行う定位位置設定処理を示すフローチャートである。
【図３】本発明の実施形態に係るオーディオシステムにおいて行う定位位置設定処理で用いる表示画面例を示す図である。
【図４】本発明の実施形態に係るオーディオシステムにおいて行う遅延時間設定処理の動作例を示す図である。
【図５】本発明の実施形態に係るオーディオシステムにおいて行う定位位置校正処理を示すフローチャートである。
【図６】本発明の実施形態に係るオーディオシステムにおいて行う定位位置校正処理で用いる表示画面例を示す図である。
【図７】本発明の実施形態に係るオーディオシステムにおいて行う遅延時間校正処理の動作例を示す図である。
【図８】本発明の実施形態に係るオーディオシステムにおいて行う定位位置設定処理で用いる表示画面例を示す図である。
【図９】本発明の実施形態に係るオーディオシステムにおいて行う定位位置設定処理で用いる表示画面例を示す図である。
【図１０】本発明の実施形態に係るオーディオシステムにおいて行う定位位置設定処理で用いる表示画面例を示す図である。
【符号の説明】
【００３９】
１…オーディオソース機器、２…可変遅延部、３…スピーカ、４…制御部、５…タッチパネル、６…表示部、７…メモリ、３００…定位位置受付ウインドウ、３１０…定位位置確認ウインドウ、３５０…ダッシュボード画像、６００…定位位置校正ウインドウ、８５０…車内レイアウト画像。
【図１】
2006196941.tif 000003
【図２】
2006196941.tif 000004
【図３】
2006196941.tif 000005
【図４】
2006196941.tif 000006
【図５】
2006196941.tif 000007
【図６】
2006196941.tif 000008
【図７】
2006196941.tif 000009
【図８】
2006196941.tif 000010
【図９】
2006196941.tif 000011
【図１０】
2006196941.tif 000012